(57)【特許請求の範囲】
【請求項１】
家具枠体（４）に固定される枠体レール（５）と、該枠体レール（５）に対して移動可能な少なくとも一本の延長レール（６）と、該延長レール（６）に接続されているか接続可能な引出し（２）の位置を調節することができる調節装置（８）と、を含んでおり、
前記調節装置（８）は、前記引出し（２）の穴にフィットする少なくとも一つの保持突出部（１０）を有し、前記延長レール（６）に取り付けられた取付け部（９）がさらに含まれており、
前記取付け部（９）は、前記延長レール（６）の後端に設けられており、前記延長レール（６）の上側（６ａ）で間隔を開けて、前記延長レール（６）の縦方向にほぼ水平に延びており、
前記取付け部（９）は、前記保持突出部（１０）内に調節可能に設けられ、取付け位置で前記穴内に取り付けられていることを特徴とする引出し（２）用の引出しガイド。
【請求項２】
前記保持突出部（１０）は、プラスチック製であることを特徴とする請求項１記載の引出しガイド。
【請求項３】
前記取付け部（９）は、プラスチック製の成形体（１４）を自由端領域に有する金属製搬送体（９ａ）を有していることを特徴とする請求項１または２記載の引出しガイド。
【請求項４】
前記保持突出部（１０）は、その取付け位置で前記穴内に設けられて円筒形周面を有することを特徴とする請求項１から３のいずれかに記載の引出しガイド。
【請求項５】
前記穴は、引出し（２）の木製後壁（２ｄ）に予め設けられており、前記取付け部（９）は、その取付け位置で前記後壁（２ｄ）の前記穴内で調節可能に設けられていることを特徴とする請求項１から４のいずれかに記載の引出しガイド。
【請求項６】
前記取付け部（９）は、前記保持突出部（１０）に対して少なくともほぼ水平方向に移動可能に取り付けられていることを特徴とする請求項１から５のいずれかに記載の引出しガイド。
【請求項７】
前記保持突出部（１０）は、前記取付け部（９）を受領するための開口部（１７）を有することを特徴とする請求項１から６のいずれかに記載の引出しガイド。
【請求項８】
前記開口部（１７）は、前記延長レール（６）の縦方向に対してほぼ直角に延びており、前記開口部（６）の長さは、前記取付け部（９）の幅よりも大きいことを特徴とする請求項７記載の引出しガイド。
【請求項９】
前記取付け部（９）は、前記開口部（１７）内に調節可能に取り付けられていることを特徴とする請求項７または８記載の引出しガイド。
【請求項１０】
前記取付け部（９）は摩擦係合によって前記保持突出部（１０）に保持されることを特徴とする請求項１から９のいずれかに記載の引出しガイド。
【請求項１１】
前記保持突出部（１０）は、前記取付け部（９）の対応するラッチ部品（１５）と多様な設定位置で、解除可能に掛留め可能なラッチ部材（１８）を有することを特徴とする請求項１から１０のいずれかに記載の引出しガイド。
【請求項１２】
前記取付け部（９）を前記延長レール（６）に対してほぼ垂直方向に調節可能にする別の調節装置（１９）が提供されていることを特徴とする請求項１から１１のいずれかに記載の引出しガイド。
【請求項１３】
請求項１から１２のいずれかに記載の引出しガイドを少なくとも一つ有する引出し。
【請求項１４】
請求項１３記載の引出しを少なくとも一つ有する家具。
【発明の詳細な説明】
【技術分野】
【０００１】
本発明は、家具枠体に固定される枠体レールと、枠体レールに対して移動可能な少なくとも一本の延長レールと、延長レールに接続されているか接続可能な引出しの位置を調節することができる調節装置と、を含んでおり、調節装置は、引出しの加工穴にフィットする少なくとも一つの保持突出部を有しており、延長レールに取り付けられた取付け部がさらに含まれており、取付け部は、延長レールの後端にアレンジされており、延長レールの上側で間隔を開けて、延長レールの縦方向にほぼ水平に延びていることを特徴とする引出し（２）用の引出しガイド（３）に関する。
【０００２】
本発明は、さらに引出しと、以下で説明する引出しガイドとを有する家具にも関する。
【背景技術】
【０００３】
本出願人が出願人である特許文献１は、ここで一般的に説明する引出しの引出しガイド構造体を開示しており、引出しの後端は、延長レールに取り付けられ、保持突出部の形態である取付け部を介して工具を使用せずに引出し延長レールに接続できる。保持突出部は、延長レールの内側端にアレンジされており、その上面に対してほぼ平行に離れた関係で延びている。
【０００４】
延長レールに対する引出しの後方端の取り付けおよび取り外しは、引出しを保持突出部側に押し込むか、またはそれをそこから引き戻すことによって実行される。引出しを保持突出部に押し込むことによって取り付けが実行されると、引出しは、上方移動および横方向移動しないようにその後端領域に固定される。枠体に対する前方パネルの高さ位置を実質的に変えることなく、すでに定位置に取り付けられた引出しの前方パネルを傾斜させるため、特許文献１は、保持突出部を上下方向に調節可能にすることを提案している。
【０００５】
一方、特許文献２および特許文献３は、延長レールに対する引出しの追加的な横方向移動が実行される方策について解説している。この構造では、受領部品が引出しの後壁に固定されており、この受領部品は、引出し延長ガイドに接続されたプレートを受領するためのスロット状開口部を有する。このプレートは、スロット状の開口部内において設定範囲で移動可能であるため、引出しの後端領域の横方向移動も可能である。
【先行技術文献】
【特許文献】
【０００６】
【特許文献１】欧州特許第１１４７７２５号明細書
【特許文献２】西独国実用新案出願公開第２０２００６００３０３５号明細書
【特許文献３】西独国実用新案出願公開第２０２００７０１４９５４号明細書
【発明の概要】
【発明が解決しようとする課題】
【０００７】
本発明の目的の一つは、前述の公知技術を基礎とし、構造的に簡単でコンパクトな調節装置の提供にある。
【課題を解決するための手段】
【０００８】
本発明によれば、これは、請求項１の特徴によって達成できる。本発明のさらに有利な形態は従属する請求項に記述されている。
【０００９】
すなわち、調節装置は、引出しに前もって設けられた穴に好適にフィットする少なくとも一つの保持突出部を有しており、延長レールにアレンジされたその取付け部は、その保持突出部内で調節可能にアレンジされている。換言すれば、延長レールの取付け部は、穴内で限定的に移動するように取り付けられている。このようにして非常にコンパクトな調節装置が提供され、この点で引出し背面に取り付けられる追加的な受領プレートなしで済ますことが可能である。
【００１０】
保持突出部のための穴は、例えば引出し後壁または側壁に、例えばその端部、すなわち家具枠体の内側に提供できる。提案する延長ガイドは、特に木製の引出しの取り付け、および調整に適しており、引出し延長ガイドに共通装置として解除可能に固定でき、好適には工具を使用せずに取り付けおよび/または取り外しできる。
【００１１】
原則的には、保持突出部と取り付け部との間で空間的に少なくとも一方向への相対的な運動が許容される。保持突出部と取り付け部との間の相対的な運動は、調節装置によって創出され、したがって、例えば水平または垂直方向に可能である。いずれにせよ延長レールに特許文献１で解説するように取り付けられた取付け部は、たいていは高さが調節可能であるので、保持突出部が静止取付け部に対して実質的に水平方向だけに移動するように取り付けられていれば十分であろう。
【００１２】
穴に装着される保持突出部は、プラスチック製でよく、保持突出部内にアレンジされる取付け部は、好適には自由端領域にプラスチック製の成形体を有する金属製搬送体を有する。金属製の搬送体を囲む成形体は、摩擦式ロック係合状態および/または外側の保持突出部と取り付け位置で少なくとも部分的に能動的ロック係合状態である。取付け位置に対して保持突出部を充分に堅固であるが調節可能に取り付けるため、開口部は、多様な設定位置で、取付け位置の対応するラッチ部品と解除可能に掛留め可能なラッチ部材を有する。
【００１３】
この点で、搬送体自体または成形体のいずれかが保持突出部に、対応する歯形部または溝形部と係合する歯形部または溝形部を有することが望ましい。引出しに装着される保持突出部は、所定の摩擦力に打ち克つことで取り付け部に対して移動可能であり、所望の位置に制動することができる。
【００１４】
保持突出部は、穴内の取り付け位置にプレス式またはスライド式に保持でき、望ましくは、保持突出部は、取付け位置で円筒穴内にアレンジされる円筒形周面を有する。したがって保持突出部は、調節装置の一部でもある固定くぎの形態である。保持突出部は、取付け部を収容するための開口部を有することができ、その開口部は、延長レールの縦方向にほぼ直角に延伸でき、開口部の長さは、取付け部の幅よりも大きい。
【００１５】
このように、調節移動が保持突出部と取付け部との間で可能である。本発明の特に有利な点は、引出しの前方パネルと隣接する引出しの前方パネルとの間に生じる垂直間隙も引出しの後端領域の水平移動によって調節可能であることである。
【００１６】
本発明による引出しと本発明による家具は、解説したような少なくとも一つの引出しガイドによって特徴付けられる。
【００１７】
本発明のさらなる詳細および利点は、後述の詳細な説明と関連して説明される。
【図面の簡単な説明】
【００１８】
【図１】図１は、本発明の引出しガイドによって移動可能に取り付けられた引出しを備えた家具の斜視図である。
【図２】図２は、引出しガイドの斜視図である。
【図３ａ】図３ａは、引出しの後端領域の位置を変更させるための調節装置の多様な図である。
【図３ｂ】図３ｂは、引出しの後端領域の位置を変更させるための調節装置の多様な図である。
【図３ｃ】図３ｃは、引出しの後端領域の位置を変更させるための調節装置の多様な図である。
【図３ｄ】図３ｄは、引出しの後端領域の位置を変更させるための調節装置の多様な図である。
【図４ａ】図４ａは、引出しの取り付けの２つの異なるオプションを詳細な斜視図で示したものである。
【図４ｂ】図４ｂは、引出しの取り付けの２つの異なるオプションを詳細な斜視図で示したものである。
【図５ａ】図５ａは、傾斜位置と適切に調節された引出しを有する引出し構造体を示す概略的平面図である。
【図５ｂ】図５ｂは、傾斜位置と適切に調節された引出しを有する引出し構造体を示す概略的平面図である。
【発明を実施するための形態】
【００１９】
図１は、家具１の斜視図であり、引出し２は、引出しガイド３によって家具枠体４に対して移動可能に取り付けられている。知られているように、引出し２は、前方パネル２ａ、引出し底部２ｂ、側壁２ｃおよび後壁２ｄを含んでいる。引出しガイド３は、家具枠体４の両側の側壁に固定されている。前方パネル２ａの傾斜または高さ位置を調節するため、特許文献１は、引出し２の後方端（すなわち後壁２ｄの領域）を調節式に上昇または下降させる方策について既に解説している。
【００２０】
図２は、引出し２の引出しガイド３の１実施例の斜視図である。引出しガイド３は、家具枠体４に取り付けられる枠体レール５と、それに対して移動可能な少なくとも一本の延長レールとを含んでいる。延長レール６に接続できる引出し２を最大に延伸させるため、追加の中間レール７が枠体レール５と延長レール６との間で移動式に取り付けられている。
【００２１】
取り付けのため、引出しガイド３は、まず家具枠体に予め取り付けられ、その後、引出し２が延長レール６の上側６ａ上に装着され、延長レール６の後方端に取り付けられた調節装置８が引出し２の移動を制限するまで、矢印（Ｌ）の方向に後方に移動される。
【００２２】
調節装置８は、ほぼ水平方向に延長レール６の上側６ａと離れた関係で延びる取付け部９を有する。取付け部９は、少なくとも部分的に保持突出部１０内に取り付けられる。保持突出部１０が押し込みにより穴内の取り付け位置に保持されるよう、保持突出部１０は、引出しの対応する穴（ここでは、図示しない）に入るよう提供されている。引出し２の前端領域を延長レール６に対して取り付けるため、引出し２（特に引出し底部２ｂの下側の横方向前方領域）に取り付けられる連結装置１１が提供されている。
【００２３】
引出し２は、連結装置１１によって延長レール６に対して全体的に解除可能に取り付けられ、好適には工具を使用せずに取り付けられ、好適には工具を使用せずに取り外される。連結装置１１は、手によって機能し、それによって連結装置１１の制動部１２ａが延長レール６の掛留開口部から解除位置に可動であり、それによって引出し２が延長ガイド３から全体的に完全に取り外されるグリップ部品１２を含んでいる。
【００２４】
連結装置１１は、それによって連結装置１１（およびそれに接続されている引出し２）が矢印（Ｌ）に対してほぼ直角に水平方向で調節可能となる調節輪体を有する調節装置１３を有している。このように延長レール６に対する引出し２の横方向移動が可能となる。同時に前方パネル２ａと、隣接する引出し２の前方パネルとの間に発生する垂直方向の間隙もまた可変に調節できる。
【００２５】
図３ａから図３ｄは、調節装置８の可能な実施例の多様な図である。図３ａと図３ｂは、それぞれ調節装置８の一部の斜視図である。
【００２６】
取付け部９は、その自由端領域にプラスチック製の成形体１４を有することができる金属製の搬送体９ａを含んでいる。成形体１４は、取り付け状態では、保持突出部１０の開口部１７の対応するラッチ部材１８と係合しているラッチ部品１５（図３ｃ）を有する。よって、保持突出部１０（およびそれと共に引出し２）を、保持突出部１０と成形体１４との間の所定の摩擦力が克服された後に、静止状態の取付け部９に対して水平方向で調節することが可能である。したがって、保持突出部１０は、多様な所定の掛留位置で、図示の矢印（Ｈ）の方向に、取付け部９に対して所定の分量だけ調節可能である。保持突出部１０の開口部１７は、延長レール６の縦方向に対して直角に延び、開口部１７の長さは、取付け部９の幅よりも大きい。
【００２７】
図３ｃは、調節装置８を後方から見た図であり、保持突出部１０は、両方向矢印（Ｈ）で示す方向に静止状態の取付け部９に対して移動可能である。調節は、好適には手動で、引出し２（図１）の側壁２ｃの後方領域に圧力を適用することで実行される。成形体１４無しでも済ますことが可能であり、この場合には、ラッチ部品１５は、金属製の搬送体９ａに直接的に提供されることが望ましいであろう。
【００２８】
図３ｄは、取付け部９と保持突出部１０とを備えた調節装置８の分解図である。取付け部９を受領するための保持突出部１０の開口部１７が図示されている。調節装置８に加えて、それによって取付け部９（および引出し２）も垂直方向に可動および調節可能である別の調節装置１９が存在する。その別の調節装置１９は、例えばそれによって取付け部９が静止状態の取付け構造体１９ｂに対して高さ調節可能である自動ロック式偏心調節部材１９ａを含んでいる。そのような機構は、本出願人の特許文献１で既に解説されており、ここでは詳細に説明する必要はない。
【００２９】
図４ａは、引出し２の後方端、すなわち後壁２ｄの後側を後方から見た斜視図である。後壁２ｄに予め設けられた筒状穴２１が図示されており、延長レール６に対する引出し２のさらなる挿入によって、その穴に調節装置８の保持突出部１０が通過でき、プレスフィット式、スライド式またはくさび式に保持される。引出し２に対する保持突出部１０のスライド式固定またはくさび式固定は、スライド式固定を解除すると、保持突出部１０が取付け部９に常に残り、引出し２は、いつでも保持突出部１０に押し付けられるか、または引き離されることができる。取り付けられた引出し２は、調節装置８で水平方向に（すなわち延長レール６に対して横方向に）調節可能であり、追加の調節装置１９は、取付け部９（および引出し２）を垂直に調節させる。
【００３０】
図４ｂは、保持突出部１０がすでに引出し２の穴２１に予め固定されている変形例を示している。引出し２の押し込みによって、水平に配向した取付け部９は、保持突出部１０の開口部１７内に通過できる。取り付けが実行されると、引出し２は取付け部９に対して水平方向に調節可能となり、引出し２の後方端の調節も、追加の調節装置１９によって垂直方向に可能となる。取付け部９への当初の取り付けが実行された後に保持突出部１０がいつでも引出し２を保持突出部１０から分離し（図４ａに示すように）それに押し込めるように設計することもできる。
【００３１】
図５ａは、隣接する２体の引出し２の設置状況を示す平面図である。２体の引出し２は家具枠体４に対して移動可能に取り付けられている。２体の引出し２の左側は、視認できる傾斜姿勢となっている。引出し２の後方端領域は、後壁２ｄの領域で調節装置８によって少なくとも水平方向に調節でき、引出し２の前方領域は、引出し２（図２）の前端領域にアレンジされた調節装置１３によって少なくとも横方向に調節可能である。引出し２の側壁２ｃが家具枠体４の側壁に対して平行に配向できるよう、可動延長レール６に対する引出し２の横方向移動は、２体の調節装置８と１３によって可能である。横方向移動は、調節装置８に対する双方向矢印によって示されている。
【００３２】
適切に調節された引出し構造体を図５ｂに示す。引出し２の無傾斜運動と、枠体の前方端に対する前方パネル２ａの平行配向性は、２体の調節装置８と１３によって可能となる。
【００３３】
本発明は、説明した実施例に限定されず、「請求の範囲」内である全ての変更および技術的均等物を含んでいる。上、下、横など、説明で採用した位置的関係は、引出し２の通常の設置位置に関するか、または固定したものであり、全体位置の変化に応じて適宜新しい位置に変更されるべきものである。調節装置８は、引出し２の垂直調節にも使用でき、これは、保持突出部１０の垂直に延びる開口部１７によって特に容易に実行できる。
【図１】
0005677419.tif 000002
【図２】
0005677419.tif 000003
【図３ａ】
0005677419.tif 000004
【図３ｂ】
0005677419.tif 000005
【図３ｃ】
0005677419.tif 000006
【図３ｄ】
0005677419.tif 000007
【図４ａ】
0005677419.tif 000008
【図４ｂ】
0005677419.tif 000009
【図５ａ】
0005677419.tif 000010
【図５ｂ】
0005677419.tif 000011